(57)【要約】【目的】床暖房装置において小根太固定手段と床板固定手段との間の干渉を防止し、施工性を向上させる。【構成】弾力性を有する基材（１）上に発熱手段（電気ヒーター線２）が蛇行状に配置されてなるヒーターマット（３）と、該ヒーターマット上において発熱手段と重ならない位置に設けられる小根太４と、該小根太の長手方向と略直交する方向に敷設される床板５とを備えた床暖房装置において、小根太を固定する固定手段１３の打ち込み位置を示す第１のマーク（Ｍ１）と、床板を固定する際に打ち込む釘２２が小根太固定手段に当たる恐れがある釘打ち禁止位置を示す第２のマークＭ２が小根太の表面に設けられる。小根太の先端と該先端に近い側のヒーターマットの縁との間の距離が床板の幅より小さく形成されており、小根太の両端寄りに床板を割り付けるための第３のマーク（Ｍ３）が設けられる。【選択図】図７
2005134037.tif 000002
【特許請求の範囲】
【請求項１】
弾力性を有する基材上に発熱手段が蛇行状に配置されてなるヒーターマットと、該ヒーターマット上において発熱手段と重ならない位置に設けられる小根太と、該小根太の長手方向と略直交する方向に敷設される床板とを備え、小根太を固定する固定手段の打ち込み位置を示す第１のマークと、床板を固定する際に打ち込む釘が小根太固定手段に当たる恐れがある釘打ち禁止位置を示す第２のマークが小根太の表面に設けられることを特徴とする床暖房装置。
【請求項２】
弾力性を有する基材上に発熱手段が蛇行状に配置されてなるヒーターマットと、該ヒーターマット上において発熱手段と重ならない位置に設けられる小根太と、該小根太の長手方向と略直交する方向に敷設される床板とを備え、小根太の先端と該先端に近い側のヒーターマットの縁との間の距離が床板の幅より小さく形成されており、小根太の両端寄りに床板を割り付けるための第３のマークが設けられ、床板は該第３のマークからヒーターマットの縁を超えて覆うように敷設されることを特徴とする床暖房装置。
【請求項３】
弾力性を有する基材上に発熱手段が蛇行状に配置されてなるヒーターマットと、該ヒーターマット上において発熱手段と重ならない位置に設けられる小根太と、該小根太の長手方向と略直交する方向に敷設される床板とを備え、小根太を固定する固定手段の打ち込み位置を示す第１のマークと、床板を固定する際に打ち込む釘が小根太固定手段に当たる恐れがある釘打ち禁止位置を示す第２のマークが小根太の表面に設けられるとともに、小根太の先端と該先端に近い側のヒーターマットの縁との間の距離が床板の幅より小さく形成されており、小根太の両端寄りに床板を割り付けるための第３のマークが設けられ、床板は該第３のマークからヒーターマットの縁を超えて覆うように敷設されることを特徴とする床暖房装置。
【発明の詳細な説明】
【技術分野】
【０００１】
本発明は床暖房装置に関する。
【背景技術】
【０００２】
従来、床暖房装置としては、たとえば下記特許文献１に記載されるように、柔軟性を有する基材と、この基材に積層されるシート状物と、このシート状物に固着されるヒーター線と、このヒーター線を含むシート状物の上に載置される小根太とを有して構成されるものが知られている。ヒーター線は、浸透性を有するシート状物の基材側に間隔をあけて蛇行した状態で固着され、且つ、数条おきにヒーター線の蛇行間隔が広い広間隔部を有する。さらに、シート状物の反ヒーター線側においては、上記広間隔部に対応する位置に、この広間隔部よりも小さい幅寸法の小根太がビスにより床下地板に固定されている。また、小根太の上には床板が載置され、床板は小根太のある位置で釘により床下地板に固定されている。
【特許文献１】特開２００３−１６６７２０号公報
【０００３】
また、下記特許文献２には、温水パイプや電機ヒーターなどの放熱部材が小根太を横断する部位の上に「釘打ち禁止」などの注意書きを表示する技術が開示されている。
【特許文献２】特開２００２−２７６９６１号公報
【発明の開示】
【発明が解決しようとする課題】
【０００４】
上記特許文献１記載の床暖房装置においては、小根太がビスにより床下地板に固定されるが、小根太を固定するビスは床板の下に隠れてしまう場合があるので、小根太の上に載置した床板を固定するために釘を打ち込んだときに、釘がビスに当たることがあった。
【０００５】
上記特許文献２には、釘打ちを禁止すべき部位にその旨の注意書きを表示することが開示されているが、放熱部材が小根太を横断する部位を釘打ち禁止部位として注意書きを表示するものであり、小根太固定手段（ビス）と床板固定手段（釘）との間の干渉を防止するための技術ではない。
【０００６】
本発明が解決しようとする課題は、床暖房装置において小根太固定手段と床板固定手段との間の干渉を防止し、小根太および床板の固定を的確に行い、施工性を向上させることにある。
【課題を解決するための手段】
【０００７】
上記の課題を達成するため、請求項１にかかる本発明の床暖房装置は、弾力性を有する基材上に発熱手段が蛇行状に配置されてなるヒーターマットと、該ヒーターマット上において発熱手段と重ならない位置に設けられる小根太と、該小根太の長手方向と略直交する方向に敷設される床板とを備え、小根太を固定する固定手段の打ち込み位置を示す第１のマークと、床板を固定する際に打ち込む釘が小根太固定手段に当たる恐れがある釘打ち禁止位置を示す第２のマークが小根太の表面に設けられることを特徴としている。
【０００８】
請求項２にかかる本発明の床暖房装置は、弾力性を有する基材上に発熱手段が蛇行状に配置されてなるヒーターマットと、該ヒーターマット上において発熱手段と重ならない位置に設けられる小根太と、該小根太の長手方向と略直交する方向に敷設される床板とを備え、小根太の先端と該先端に近い側のヒーターマットの縁との間の距離が床板の幅より小さく形成されており、小根太の両端寄りに床板を割り付けるための第３のマークが設けられ、床板は該第３のマークからヒーターマットの縁を超えて覆うように敷設されることを特徴としている。
【０００９】
請求項３にかかる本発明の床暖房装置は、弾力性を有する基材上に発熱手段が蛇行状に配置されてなるヒーターマットと、該ヒーターマット上において発熱手段と重ならない位置に設けられる小根太と、該小根太の長手方向と略直交する方向に敷設される床板とを備え、小根太を固定する固定手段の打ち込み位置を示す第１のマークと、床板を固定する際に打ち込む釘が小根太固定手段に当たる恐れがある釘打ち禁止位置を示す第２のマークが小根太の表面に設けられるとともに、小根太の先端と該先端に近い側のヒーターマットの縁との間の距離が床板の幅より小さく形成されており、小根太の両端寄りに床板を割り付けるための第３のマークが設けられ、床板は該第３のマークからヒーターマットの縁を超えて覆うように敷設されることを特徴としている。
【発明の効果】
【００１０】
第１のマークが設けられることにより、このマークの位置でビスなどの固定手段を用いて小根太を床下地板に固定することができるので、小根太固定手段の打ち込み位置と使用個数が明確になり、施工が容易になる。
【００１１】
第２のマークが設けられることにより、床板を小根太の上に載置したときに第２のマークが見える場合は、このマークの無い位置に釘を打ち込んで床板を小根太越しに床下地板に固定する。第２のマークが見えなければ、床板の任意の位置に釘を打ち込むことができる。このようにして、床板を固定するために釘を打ち込んだときに、該釘が小根太固定手段に当たることを防止する。
【００１２】
第３のマークが設けられることにより、このマークを基準にして床板を割り付けるようにすれば、このマークからヒーターマットの縁を超えて一つの床板で覆うことが可能となるとともに、この床板の長手方向のヒーターマット側の縁がすべての小根太の上に位置することになるので、ヒーターマットの縁に位置する床板は常に小根太で安定して支持される。
【発明を実施するための最良の形態】
【００１３】
本発明による床暖房装置の一実施形態について、以下、添付図を参照して説明する。この床暖房装置は、電気エネルギーを利用して暖房用床板を加熱し、この床板の上部空間を暖房するものであって、図示実施形態では６畳用の床暖房装置として構成されている。８畳用、１０畳用等その他の大きさの床暖房装置についても、図示実施形態の６畳用床暖房装置に準じて構成し得ることは言うまでもない。
【００１４】
この床暖房装置は、各々弾力性を有する基材１上に電気ヒーター線（発熱手段）２が蛇行状に配置されてなる一対の左右略点対称に設けられたヒーターマット３（３ａ，３ｂ）と、ヒーターマット３上において電気ヒーター線２と重ならない位置に設けられた複数の小根太４と、これら小根太４の長手方向と略直交する方向に敷設される複数の暖房用床板５とを備えている。
【００１５】
さらに、コントローラ６と、ヒーターマット３とコントローラ６とを電気的に接続するケーブル７，８とを備えている。コントローラ６からは電源コード９が引き出され、電源コード９の先端にはプラグ１０が設けられる。コントローラ６は、ヒーターマット３のオン・オフ、暖房の強弱、過熱箇所の選択、電気ヒーター線２の過熱防止などの制御を行う。電源コード９およびプラグ１０はコントローラ６に接続したままであってもよいが、コントローラ６に設けたスクリューレス端子（図示せず）に抜き差し可能に接続することによりヒーターマット３の通電試験用として仮設的に使用し、通電試験が終了したときにはこれら電源コード９およびプラグ１０を取り外して、コントローラ６を電源に本接続するようにしてもよい。
【００１６】
ヒーターマット３（３ａ，３ｂ）の構成についてより詳しく説明すると、不織布などの弾力性を有する基材１上に電気ヒーター線２および感熱線１１を貼着し、さらにこれらの上に接して積層シート１２を全面に積層して構成されている（図３）。
【００１７】
積層シート１２の一例は、スパンボンドなどの不織布で形成される表裏のシート１２ａ，１２ｂの間に熱伝導性および可撓性を有するアルミニウム箔（またはアルミニウム薄板）１２ｃを挟んで接着剤で積層貼着一体化した３層構造を有するものである（図４）。不織布シート１２ａ，１２ｂ間にアルミニウム箔１２ｃを貼着するには、酢酸ビニル系、酢酸ビニル・アクリル系、エチレン・酢酸ビニル系、アクリル・エチレン系、ウレタン系などの接着剤を用いることができる。積層シート１２は、電気ヒーター線２および感熱線１１を介して不織布１１の全面に設けられ、電気ヒーター線２が発生した熱を平面的に分散させて効率良く床板５に伝達させるために用いられる。
【００１８】
小根太４は縦長状の薄板であり、ヒーターマット３（３ａ，３ｂ）の表面に設けられている積層シート１２と床板５との間に、ヒーター線２の直線部分に沿って、互いに適宜の間隔を保って平行となるように配置される。小根太４の長さはヒーターマット３より若干短く形成され、その長手方向一端がヒーターマット３の一方の縁に互い違いに当接するように配置される。小根太４の材質としては、合板、木質板、木質繊維板（ＭＤＦなど）、木削片板、単板積層板などの木質系を使用することができる。さらに、小根太４は、ヒーター線２および感熱線１１と重ならないように配置され、積層シート１２および不織布基材１を介して木ねじ（ビス）１３により床下地材１４に固定される。この場合、不織布基材１が弾力性を有するので、小根太４の下に位置する不織布基材１は圧縮された状態にある。小根太４は、ヒーターマット３の中心に対して点対称の位置関係にある。床下地材１４の材料は、たとえば合板、木質板、木質繊維板（ＭＤＦなど）などの木質系を使用し、その厚みはたとえば１５ｍｍである。床下地材１４は根太（図示せず）上に敷設され、根太間には断熱材（図示せず）が充填される。
【００１９】
ヒーターマット３のヒーター線２は、小根太４，４間に蛇行状に貼着される。感熱線１１は、小根太４の近傍で且つヒーター線２に沿って同じく蛇行状に設けられるが、ヒーター線２と重ならないように配置される。感熱線１１は、ヒーター線２による異常過熱を感知し防止する作用を果たす。
【００２０】
床板５は周知のように基板の表面に化粧材を貼着して構成され、その長手方向に沿って雄実１５および雌実１６が形成されている。基板は、合板、木質板、木質繊維板（ＭＤＦなど）、木削片板、単板積層板などの木質系、スチロール樹脂板、塩化ビニル樹脂板、強化プラスチック板、発泡スチロール樹脂板、発泡ウレタン樹脂板などの合成樹脂系、または木質系と合成樹脂系との複合積層板などからなる。このような基板上に貼着する化粧材としては、天然木材を切削して得られる天然突板、人工突板、不織布、紙、合成樹脂シートなどを用いることができ、可撓性を有する材料のシートに各種模様を印刷したものを用いてもよい。化粧材として用いる合成樹脂シートとしては、たとえばオレフィン樹脂、塩化ビニル樹脂、ポリエステル樹脂、アクリル樹脂などを用いることができる。化粧材の厚さはたとえば０．０５〜１ｍｍの範囲で決定される。
【００２１】
一例として、幅３０３ｍｍ×厚さ９ｍｍの合板を基板としてその表面に上記のような任意化粧材を貼着して得られる化粧板を床板５として用いることができる。ヒーターマット３が施工されない部分には、ヒーターマット３の厚み（この実施形態では３ｍｍ）と同厚の合板からなる周辺パネル１７が床下地材１４上に枠状に施工される。この場合、後述する周辺床板１８ａ，１８ｂおよび調整床板１９ａ，１９ｂはいずれも１２ｍｍ厚の合板を基板としてその表面に化粧材貼着などによる任意化粧が施されたものである。いずれも化粧は図示省略されている。なお、化粧材はきわめて薄いものであるのでその厚さを無視し、各床板の厚さは上記合板の厚さと等しいものとする。
【００２２】
床板５の外側には、１２ｍｍ厚の調整床板１９ａ，１９ｂを介して、部屋の壁位置まで１２ｍｍ厚の周辺床板１８ａ，１８ｂが設けられる。
【００２３】
前述のように床板５の厚さは９ｍｍであるが、その下方に設けられる小根太４およびヒーターマット３の合計厚（より厳密に言えば、小根太４の下方に不織布基材１と積層シート１２が重なり合って不織布が圧縮された状態で配置されたときのこれらの合計厚）が３ｍｍとなるように設定されているので、床下地材１４表面から床板５表面までの見掛け上の厚さは１２ｍｍとなり、周辺床板１８ａ，１８ｂおよび調整床板１９ａ，１９ｂの厚さと同一である。また、この実施形態においては、床下地材１４上にヒーターマット３を取り囲むように枠状に合板などからなる周辺パネル１７（図１，図９）が配置されており、この周辺パネル１７の厚さが３ｍｍとされることによって、周辺パネル１７と床板５の合計厚が１２ｍｍとなり、周辺床板１８ａ，１８ｂおよび調整床板１９ａ，１９ｂの厚さと同一である。周辺パネル１７が床板５の四周縁に略密接して設けられることにより、床板の耐荷重性や耐キャスター性が良好となる。
【００２４】
調整床板１９ａの長手方向に延長する両側縁の一方には、床板５がヒーターマット３（および周辺パネル１７）上に載置された状態でその雄実１５を嵌合する雌実（符号なし）が形成されるとともに、他側縁には、周辺床板１８ａの長手方向に延長する一側縁に形成された雌実（符号なし）に嵌合する雄実２４が形成される（図９）。また、調整床板１９ｂの長手方向に延長する両側縁の一方には、床板５がヒーターマット３（および周辺パネル１７）上に載置された状態でその雌実１６に嵌合する雄実２５が形成されるとともに、他側縁には、周辺床板１８ｂの長手方向に延長する一側縁に形成された雄実２７を嵌合する雌実（符号なし）が形成される（図９）。周辺床板１８ａ，１８ｂおよび調整床板１９ａ，１９ｂはすべて同厚であるので、これらを連結するための実（雄実２４，２７とこれらに嵌合する雌実）は、床板の厚さ方向において同一の高さ位置に形成されているが、調整床板１９ａ，１９ｂにおける床板側の実は、ヒーターマット３（および周辺パネル１７）上に載置された床板５の実に嵌合するような高さ位置に形成され、板厚の異なる床板５との連結を可能にしている。
【００２５】
ヒーターマット３を構成する左右一対のヒーターマット３ａ，３ｂには一つの共通の配線ボックス２０が設けられて、配線ボックス２０からは、先端にコネクタ２１を有するヒーターマット側ケーブル（図示せず）が引き出されている。このヒーターマット側ケーブルはコネクタ２１を介して延長ケーブル７と電気的に接続され、さらに中間コネクタ２３を介してコントローラ側のケーブル８と電気的に接続される。ヒーターマット側ケーブルは、床下地材１４に開けた孔（図示せず）を通って床下に導き、該床下でコネクタ２１を介して延長ケーブル７と接続することが好ましい。
【００２６】
小根太４の表面の長手方向には、これを固定するためのビス（小根太固定手段）１３の位置を示す第１のマークＭ１と、暖房用床板５を固定する際に打ち込む釘２２がビス１３に当たらない打ち込み位置を示す第２のマークＭ２とが表示される。これらのマークＭ１，Ｍ２は、小根太４表面の長手方向に一定のピッチで設けられる。第１のマークＭ１の形状は円形、十字、四角形、点などであってその中心位置でビス打ち込み位置を示す。図示実施形態では円形のマークＭ１として示されている。第２のマークＭ２は、図示実施形態では、第１のマークＭ１の外側に９０度間隔で設けた４つの放射状線分として示されているが、放射状線分に代えて点や星印などを放射状に適宜間隔で配置したマークとしてもよい。
【００２７】
さらに、小根太４の長手方向両端に近接した位置に、暖房用床板５を割り付けるための基準となる第３のマークＭ３が設けられる。第３のマークＭ３は、小根太４の長手方向両端近くにおいて矩形枠などの形状で設けられ、床板５の短手方向の一方の縁をこの第３のマークＭ３の領域内に位置させて施工したときに、該床板の短手方向の他方の縁がヒーターマット３の縁を超えて位置するように設定する。言い換えれば、順次に敷設される床板の最終列がヒーターマット３の縁を超えることができ、ヒーターマット３上を床板５で完全に覆うことができるか否かの目安となる。
【００２８】
図５は小根太４の長手方向一端側の拡大平面図であり、第１のマークＭ１は小根太４の幅方向中央を通る長手軸線上に設けられた円形のマークとして示されている。前述のように第１のマークＭ１は小根太固定手段であるビス１３の打ち込み位置を表示するものであり、この円形マークＭ１の中心にビス１３を打ち込んで小根太４を床下地材１４に固定する。この円形マークＭ１の大きさは外径１５ｍｍ、内径１２ｍｍであり、その中心と小根太４の一端の先端との距離は２７．５ｍｍである。これと同じ形状および大きさのマークＭ１が所定ピッチＰで小根太４の長手方向に表示される（図１，図２）。ピッチＰは、図示実施形態の６畳用暖房装置の場合で２２０ｍｍであり、８畳用では２３６．５ｍｍである。ちなみに、小根太４の寸法は、６畳用で長さ１８１５ｍｍ×幅４５ｍｍ×厚さ２．５ｍｍであり、８畳用では長さ２４２１ｍｍ×幅４５ｍｍ×厚さ２．５ｍｍである。
【００２９】
第２のマークＭ２は第１のマークである円形マークＭ１の周囲に設けられ、円形マークＭ１の中心から９０度等間隔で放射状に描かれた４つの所定長さの線分からなる十字マークとして示されている。この十字マークＭ２を構成する４つの線分はいずれも長さ１３．３ｍｍ×幅５ｍｍであり、うち２つは小根太４の長手方向に整列し、他の２つは小根太４の幅方向に整列している。小根太４の幅方向に整列している２つの線分の外側端同士の間の距離は４５ｍｍであり、すなわち、これらの線分は円形マークＭ１の外側から小根太４の長手方向に延びる木口端まで延長している。第２のマークである十字マークＭ２が設けられるピッチは第１のマークである円形マークＭ１のピッチＰと同一であり、各円形マークＭ１の周囲に十字マークＭ２が表示されている。前述のように第２のマークＭ２は、床板５を固定する際に打ち込む釘２２（図３）が小根太固定手段であるビス１３に当たる恐れがある釘打ち禁止位置を示しており、図示実施形態に示される十字マークＭ２について言えば、４つの線分のいずれかの領域内から該線分の長手方向に向けて斜めに釘２２を打ち込むと、円形マークＭ１の中心に打ち込まれた小根太固定用のビス１３に当たる恐れがあることを示している。したがって、床板５の施工に当たっては、第２のマークである十字マークＭ２の４つの線分上を避けた位置で釘２２を打ち込めばよいことが分かる。なお、釘２２の打ち込みは、床板５の長手方向および短手方向（幅方向）にある両雄実１５の上側基端部分に床板面に対して４５度の角度で打ち込むものとし（図３）、これを前提として第２のマークＭ２で釘打ち禁止位置を表示している。
【００３０】
第３のマークＭ３は、小根太４の長手方向に所定の長さにわたり且つ全幅にわたる矩形枠状のマークＭ３として示されており、図示のように内部に斜線を表示したり、あるいは任意に着色または模様を付してもよい。このマークＭ３の大きさは、長さ７０ｍｍ×幅４５ｍｍであり、その中心から小根太４の長手端までの距離は７０ｍｍとされている。
【００３１】
図６は小根太４の長手方向他端側の拡大平面図であり、第１のマークＭ１と第２のマークＭ２については、図５に示されるものと同一形状および大きさのものであり、それらの位置も同じである。第３のマークＭ３についても、図５に示されるものと同一形状および大きさのものであるが、その位置は、中心から小根太４の長手端までの距離が２３０ｍｍとされている。
【００３２】
これら第１、第２および第３のマークＭ１，Ｍ２，Ｍ３は小根太４の表面の各所定位置に印刷、刻印などの任意の手段で設けられる。あるいは、マークを印刷した紙などのシートを小根太４の表面の各所定位置に貼着してもよい。
【００３３】
第１のマークである円形マークＭ１の中心位置にビス１３を打ち込んで小根太４を床下地材１４に固定した後、床板５を施工する際に、第２のマークである十字マークＭ２の４つの線分上を避けた位置で釘２２を打ち込んで該床板５を小根太４越しに床下地材１４に固定すれば、釘２２がビス１３に当たることがなく、支障なく床板施工を行うことができる（図３）。床板５を小根太４の上に載置したときに第２のマークＭ２が床板５に隠れて見えない場合（図７）は、床板５の雄実１５の上側基端部分の小根太幅方向中央位置に４５度の角度で釘２２を打ち込んでも、打ち込んだ釘２２がビス１３に当たることがなく、床板５を固定することができる。図７に示す状態では、第２のマークＭ２の線分の外側端が床板５の雄実１５に隠れて見えないぎりぎりの位置にあり、このときに雄実１５の上側基端部分に４５度の角度で釘２２を打ち込むと、釘２２がビス１３の先端ぎりぎりの位置を通過して打ち込めることを示している。
【００３４】
一方、図８に示すように、床板５を小根太４の上に載置したときに第２のマークＭ２が露出している場合は、床板５の雄実１５の上側基端部分の小根太幅方向中央位置に４５度の角度で釘２２を打ち込もうとしても、釘２２がビス１３に当たって外側に跳ね返り、釘打ちによる床板固定ができない。この場合には、釘打ち位置を、雄実１５の上側基端部分の小根太幅方向中央からずらして、第２のマークＭ２の十字を構成する線分領域から外れた位置で釘打ちを行う。
【００３５】
床板５の敷設に際しては、第３のマークＭ３を基準にして、この位置から張り始めるとよい。こうすると、ヒーターマット３の端側に張る床板５を、ヒーターマット３側の小根太４と外側の周辺パネル１７とに架け渡された状態で張ることができ、この床板５の長手方向のヒーターマット３側の縁がすべての小根太４の上に位置することとなるので、安定且つ確実に固定することができる。
【００３６】
なお、既述した実施形態では、ヒーターマット３が存在しない箇所に、ヒーターマット３を取り巻くように枠状に、ヒーターマット３と同厚の周辺パネル１７を配置しているが、周辺パネル１７の施工は必須ではない。周辺パネル１７を用いなくても、調整床板１９ａ，１９ｂを介在させることによって、暖房用床板５よりも厚い周辺床板１８ａ，１８ｂの施工が可能となり、施工の簡略化とともに他の部屋との取り合いが容易となる。
【図面の簡単な説明】
【００３７】
【図１】本発明による床暖房装置の一実施形態を床板を一部除いた状態で示す斜視図である。
【図２】この床暖房装置から床板を除いた状態の平面図である。
【図３】図１中Ａ−Ａ断面図である。
【図４】積層シートの拡大断面図である。
【図５】小根太の長手方向一端側の拡大平面図である。
【図６】小根太の長手方向他端側の拡大平面図である。
【図７】床板に釘が適正に打ち込まれた施工状態を示す拡大断面図である。
【図８】床板に釘が不適正に打ち込まれた施工状態を示す拡大断面図である。
【図９】図１中Ｂ−Ｂ断面図である。
【符号の説明】
【００３８】
１  ヒーターマットの基材
２  電気ヒーター線
３（３ａ，３ｂ）  ヒーターマット
４  小根太
５  床板
６  コントローラ
１３  ビス（小根太固定手段）
２２  床板固定用の釘
Ｍ１  第１のマーク
Ｍ２  第２のマーク
Ｍ３  第３のマーク
【図１】
2005134037.tif 000003
【図２】
2005134037.tif 000004
【図３】
2005134037.tif 000005
【図４】
2005134037.tif 000006
【図５】
2005134037.tif 000007
【図６】
2005134037.tif 000008
【図７】
2005134037.tif 000009
【図８】
2005134037.tif 000010
【図９】
2005134037.tif 000011